(57)【特許請求の範囲】
【請求項１】
収納凹所を有する機器本体と、前記収納凹所に脱着可能に装着される操作部材と、装着状態の前記操作部材の一端部をロックすると共に、ロック解除時に前記操作部材の一端部側を押圧して前記収納凹所から突出させるロック押圧手段とを備えた電子機器において、
前記操作部材の他端部側の外壁面に幅狭部を介して第１幅広部と第２幅広部とを連通させてなる係合溝を設けると共に、この係合溝に挿入される係合突起を前記収納凹所の内壁面に設け、前記係合溝は、前記第１幅広部の内壁面の一部に導入ガイド壁部を有すると共に、前記第２幅広部の内壁面の一部に被掛止壁部を有しており、
前記操作部材を前記収納凹所内に装着する過程で、前記第１幅広部から挿入された前記係合突起が前記導入ガイド壁部に沿って前記幅狭部へ導かれた後に前記第２幅広部に配置されるようになし、前記ロック押圧手段のロック解除に伴って前記操作部材が前記収納凹所から突出したときに、前記被掛止壁部が前記係合突起に掛止されて傾倒姿勢に保持されるようにしたことを特徴とする電子機器。
【請求項２】
請求項１の記載において、前記第２幅広部の内壁面で前記被掛止壁部から前記幅狭部へ至る部分を排出ガイド壁部となし、前記操作部材を前記収納凹所から離脱させる過程で、前記係合突起が前記排出ガイド壁部に沿って前記幅狭部へ導かれた後に前記第１幅広部を通過するようにしたことを特徴とする電子機器。
【請求項３】
請求項１または２の記載において、前記係合溝に前記操作部材の背面に向かって凸状に湾曲する山部と前記操作部材の背面に向かって凹状に湾曲する谷部とを連続させた湾曲内壁面が形成されており、前記山部の一部を前記被掛止壁部となすと共に前記谷部の一部を前記導入ガイド壁部となし、前記幅狭部の幅寸法が前記谷部によって規定されていることを特徴とする電子機器。
【発明の詳細な説明】
【技術分野】
【０００１】
本発明は、車載用オーディオ装置やナビゲーション装置等の電子機器に係り、特に、機器本体に対して操作部材が脱着可能となっている電子機器に関する。
【背景技術】
【０００２】
従来より、車載用の電子機器においては、盗難防止対策として操作部材を機器本体に対して脱着可能としたものが知られている。この種の電子機器では、操作部材を機器本体に装着していないと使用できないため、自動車から長い時間離れるような場合には、機器本体から操作部材のみを取り外して車外へ携帯すれば良く、こうすることで盗難を未然に防止する効果が高まる。また、最近は車載用に限らずゲーム機等の他の電子機器においても、機器本体に対して操作部材を脱着可能としたものが知られており、このものは、機器本体から取り外した操作部材を遠隔操作装置として使用できるようになっている。
【０００３】
このように機器本体に対して別体の操作部材が脱着可能となっている電子機器では、装着状態の操作部材の一端部を係止手段によってロックしておき、この係止手段のロック解除動作に伴って操作部材の一端部側を機器本体の手前へ所定量だけ突出させ、こうして斜めに傾いた操作部材をユーザが把持して取り外せるという構成が広く採用されている。その際、機器本体から手前側へ突出したロック解除状態の操作部材を適宜手段で保持できるようにしておかないと、ユーザが把持する前に操作部材が機器本体から脱落して落下する危険性がある。
【０００４】
そこで、従来より、機器本体から取り外す際に懸念される操作部材の脱落を防止するための対策が種々提案されており、その一例として、機器本体の手前で斜めに傾いた操作部材を摩擦力を利用して保持するようにした電子機器が提案されている（例えば、特許文献１参照）。かかる従来技術においては、合成樹脂で成形された操作部材の内壁部にリブ状突起が設けてあり、操作部材が機器本体から押し出されて手前へ突出すると、それに伴ってリブ状突起が機器本体の前面部に存する合成樹脂製の側壁面に対して摺動するため、この摺動抵抗によって操作部材が機器本体に保持されるようになっている。
【先行技術文献】
【特許文献】
【０００５】
【特許文献１】実開平６−５８４９０号公報
【発明の概要】
【発明が解決しようとする課題】
【０００６】
しかしながら、特許文献１に開示された従来の電子機器では、操作部材に設けられたリブ状突起と機器本体の壁部（側壁面）との間の摩擦力を利用して操作部材の脱落を防止しているが、両者は樹脂同士の摺動によって摩擦力を生じるものであるため、リブ状突起と壁部間の摺動が繰り返されると、両者の接触面が経年的に摩耗して摩擦力が低下してしまう。つまり、かかる従来の電子機器は、操作部材の脱落防止対策を特別な部品を追加せずに安価に実現できるという利点を有するものの、操作部材の脱着作業が繰り返し行われると、次第に摩擦力が低下して操作部材が脱落しやすくなるため、長期に亘って高信頼性を維持することが困難であるという問題があった。
【０００７】
また、上記した従来の電子機器においては、操作部材の脱落を確実に防止するために、リブ状突起と壁部間の摩擦力が相応の大きさに設定されていなければならないが、ユーザが操作部材を機器本体から取り外す際には、大きな摩擦力に抗する力を加えて操作部材を所定位置まで移動させる必要がある。すなわち、操作部材の脱落を防止するのに必要な摩擦力と、操作部材を取り外すのに必要なユーザの操作力とが比例関係にあるため、摩擦力を大きくして操作部材の脱落を確実に防止しようにすると、ユーザが操作部材を機器本体から取り外しにくくなるという問題もあった。
【０００８】
本発明は、このような従来技術の実情に鑑みてなされたもので、その目的は、機器本体の手前へ突出させた操作部材の脱落を簡素な構造で確実に防止できると共に、操作部材を機器本体に対して簡単に脱着作業することができる電子機器を提供することにある。
【課題を解決するための手段】
【０００９】
上記の目的を達成するために、本発明は、収納凹所を有する機器本体と、前記収納凹所に脱着可能に装着される操作部材と、装着状態の前記操作部材の一端部をロックすると共に、ロック解除時に前記操作部材の一端部側を押圧して前記収納凹所から突出させるロック押圧手段とを備えた電子機器において、前記操作部材の他端部側の外壁面に幅狭部を介して第１幅広部と第２幅広部とを連通させてなる係合溝を設けると共に、この係合溝に挿入される係合突起を前記収納凹所の内壁面に設け、前記係合溝は、前記第１幅広部の内壁面の一部に導入ガイド壁部を有すると共に、前記第２幅広部の内壁面の一部に被掛止壁部を有しており、前記操作部材を前記収納凹所内に装着する過程で、前記第１幅広部から挿入された前記係合突起が前記導入ガイド壁部に沿って前記幅狭部へ導かれた後に前記第２幅広部に配置されるようになし、前記ロック押圧手段のロック解除に伴って前記操作部材が前記収納凹所から突出したときに、前記被掛止壁部が前記係合突起に掛止されて傾倒姿勢に保持されるようにした。
【００１０】
このように構成された電子機器では、操作部材が機器本体の収納凹所内に装着されているとき、収納凹所の内壁面に設けた係合突起を操作部材の外壁面に設けた係合溝の奥側の第２幅広部に配置させると共に、係合溝と逆側の操作部材の一端部をロック押圧手段によってロックしておき、ユーザによってロック押圧手段がロック解除されると、操作部材が係合溝寄りの端部を支点に所定角度傾倒して収納凹所から突出し、それに伴って係合溝に形成された第２幅広部の被掛止壁部が係合突起に掛止されるため、ロック解除した操作部材を傾倒姿勢のまま保持しておくことができる。それゆえ、何ら部品を追加しない安価で簡素な構造の脱落防止対策であるにも拘わらず、離脱動作時に懸念される操作部材の脱落を確実に防止できるようになり、且つ、操作部材の脱着が繰り返されても脱落防止効果はほとんど損なわれない。また、操作部材を収納凹所に装着させる過程では、係合溝の第１幅広部から挿入した係合突起を導入ガイド壁部に沿って幅狭部、さらには第２幅広部へとスムーズに導くことができるため、操作部材の装着作業を円滑に行うことができる。なお、操作部材が収納凹所から斜めに突出して被掛止壁部を係合突起に掛止させている保持状態のとき、この操作部材をユーザが引き抜くように力を加えると、係合突起を被掛止壁部から幅狭部へ導いて係合溝の外方へ脱出させることができるため、操作部材の離脱作業も支障なく行うことができる。
【００１１】
上記の構成において、第２幅広部の内壁面で被掛止壁部から幅狭部へ至る部分を排出ガイド壁部となし、操作部材を収納凹所から離脱させる過程で、係合突起が排出ガイド壁部に沿って幅狭部へ導かれた後に第１幅広部を通過するようにすると、保持状態の操作部材をユーザが引き抜くように力を加えたときに、係合突起を排出ガイド壁部に沿って幅狭部へスムーズに導くことができるため、操作部材の離脱作業が円滑に行いやすくなる。
【００１２】
また、上記の構成において、係合溝に操作部材の背面に向かって凸状に湾曲する山部と操作部材の背面に向かって凹状に湾曲する谷部とを連続させた湾曲内壁面が形成されており、この山部の一部を被掛止壁部となすと共に谷部の一部を導入ガイド壁部となし、幅狭部の幅寸法が谷部によって規定されていると、係合溝の形状が複雑にならないため、係合溝と係合突起との係脱を安定的に行わせることが容易になる。
【発明の効果】
【００１３】
本発明の電子機器は、操作部材が機器本体の収納凹所内に装着されているときに、収納凹所の内壁面に設けた係合突起を操作部材の外壁面に設けた係合溝の奥側の第２幅広部に配置させると共に、係合溝の逆側に位置する操作部材の一端部をロック押圧手段によってロックしておき、ユーザによってロック押圧手段がロック解除されると、操作部材が係合溝寄りの端部を支点に所定角度傾倒して収納凹所から突出し、それに伴って係合溝に形成された第２幅広部の被掛止壁部が係合突起に掛止されるようになっているため、ロック解除した操作部材を傾倒姿勢のまま保持しておくことができる。それゆえ、何ら部品を追加しない安価で簡素な構造の脱落防止対策であるにも拘わらず、離脱動作時に懸念される操作部材の脱落を確実に防止できるようになり、しかも、操作部材の脱着が繰り返されても脱落防止効果はほとんど損なわれないため、長期に亘って高信頼性が維持しやすい。また、操作部材を収納凹所に装着させる過程では、係合溝の第１幅広部から挿入した係合突起を導入ガイド壁部に沿って幅狭部、さらには第２幅広部へとスムーズに導くことができるため、操作部材の装着作業を円滑に行うことができる。また、操作部材が収納凹所から傾倒姿勢で保持されている状態のときも、この操作部材を引き抜く方向へ移動して被掛止壁部を係合突起から外してやれば、操作部材の離脱作業も支障なく行うことができる。
【図面の簡単な説明】
【００１４】
【図１】本発明の実施形態例に係る電子機器の断面図である。
【図２】図１の要部拡大図である。
【図３】図１の電子機器に備えられる操作部材とノーズ部材の斜視図である。
【図４】図３の要部拡大図である。
【図５】操作部材の装着状態を示す電子機器の正面図である。
【図６】操作部材を取り外してノーズ部材のみを示す電子機器の正面図である。
【図７】ロック解除された操作部材の保持状態を示す電子機器の断面図である。
【図８】図７の要部拡大図である。
【図９】操作部材の装着動作を開始した直後の状態を示す電子機器の断面図である。
【図１０】図９の要部拡大図である。
【図１１】操作部材の装着動作の途中状態を示す電子機器の断面図である。
【図１２】図１１の要部拡大図である。
【図１３】操作部材の装着動作の完了直前状態を示す電子機器の断面図である。
【図１４】図１３の要部拡大図である。
【発明を実施するための形態】
【００１５】
発明の実施の形態について図面を参照して説明する。本発明の実施形態例に係る電子機器は、例えばカーナビゲーションやカーオーディオ等として使用される車載用であり、図１に示すように、機器本体１の筐体の前面部にノーズ部材２が一体化されている。機器本体１はインストルメントパネルやダッシュボード等に埋設され、この機器本体１からノーズ部材２が車室内に露出するようになっており、図３〜図６に示すように、ノーズ部材２に対して操作部材３が脱着可能となっている。
【００１６】
ノーズ部材２は機器本体１の前面パネルとして設けられたものであり、矩形状の開口部２１を有している。ノーズ部材２の開口部２１には液晶ディスプレイ等の図示せぬ表示パネルが配設されており、図５に示すように、ノーズ部材２の正面視で左下隅部の丸孔部２２には電源用スイッチ等の操作釦４が配設されている。ノーズ部材２は合成樹脂の成形品であり、図６に示すように、開口部２１を包囲する枠状部分の左側端部には縦長形状の収納凹所２３が形成されており、この収納凹所２３に対して操作部材３が脱着可能となっている。そして、収納凹所２３に操作部材３が装填されているときだけ、機器本体１に対してメニュー選択や音量調整等の各種操作を行えるようになっているため、ユーザは機器本体１から操作部材３を取り外して車外へ携帯することにより、機器本体１自体の盗難を未然に防止することができる。また、ノーズ部材２の枠状部分の上端部には横長スリット状のディスク挿入口２４が形成されており、このディスク挿入口２４を介してＣＤやＤＶＤ等の図示せぬディスクを挿入／排出できるようになっている。
【００１７】
さらに、ノーズ部材２の収納凹所２３の上端近傍にはロック押圧手段５が組み込まれており、このロック押圧手段５は、支軸５１を中心に回動可能で係止腕５２および押圧腕５３を有する回転駆動体５４と、この回転駆動体５４を図１や図７の反時計回りに弾性付勢するトーションばね５５と、ユーザによってプッシュ操作可能なロック解除釦５６と、このロック解除釦５６を反プッシュ操作方向へ弾性付勢するコイルばね５７とを備えている。図１に示すように操作部材３が装填されているときに、係止腕５２は操作部材３の上端部に係止しているが、図７に示すようにロック解除釦５６がプッシュ操作されると、係止腕５２を上方へ逃がす向き（同図の時計回り）に回転駆動体５４が回転して、押圧腕５３が操作部材３の背面上部を前方へ押圧するようになっている。
【００１８】
図３や図４に示すように、ノーズ部材２の収納凹所２３の内底面には突条２５が突設されており、収納凹所２３内に操作部材３が装着されているとき、この操作部材３は突条２５上に搭載された起立姿勢でロックされている。そして、かかる装着状態の操作部材３がロック解除されると、突条２５を支点部として操作部材３がノーズ部材２の手前へ傾倒するようになっている。また、収納凹所２３の右内側面の下端近傍には円柱状の係合突起２６が突設されており、この係合突起２６が操作部材３の右外側面に設けられた係合溝３２内に挿入されるようになっている。係合突起２６は係合溝３２の内壁面と係脱可能であり、この係合突起２６の係脱によって操作部材３を所定の傾倒姿勢に保持できると共に、操作部材３の脱着動作が円滑に行えるようになっている。
【００１９】
操作部材３は、合成樹脂製の基台６に複数の操作キー７を縦一列に配設してなる短冊状のユニット品である。図１〜図４に示すように、操作部材３の基台６の底面中央部には凹溝３１が形成されており、この凹溝３１にノーズ部材２の突条２５が挿入されるようになっている。そして、操作部材３を突条２５上に搭載して起立させると、基台６の上端部がロック押圧手段５の係止腕５２に係止されるため、操作部材３はノーズ部材２にロックされた状態（図１参照）となる。また、操作部材３がロック解除されると、操作部材３は突条２５を支点部として傾倒可能な状態となる。
【００２０】
また、基台６の外側面の下端近傍には係合溝３２が形成されており、操作部材３が収納凹所２３内に装着されているとき、この係合溝３２内にノーズ部材２の係合突起２６が挿入される。図２，８，１０等に示すように、係合溝３２は下方を開放する凹段部として形成されており、幅狭部３２ｂを介して連通する奥側の第１幅広部３２ａと開放側の第２幅広部３２ｃとを有している。係合溝３２の形状について詳しく説明すると、この係合溝３２は逆Ｓ字状に延びる湾曲内壁面３３を有しており、幅狭部３２ｂの幅寸法は係合突起２６の太さ（直径）よりも僅かに大きく設定されている。湾曲内壁面３３のうち、操作部材３の背面に向かって凸状に湾曲している山部と、操作部材３の背面に向かって凹状に湾曲している谷部とは、基台６の外側面に沿って上下に連続している。湾曲内壁面３３の山部の頂部は係合突起２６に掛止可能な被掛止壁部３３ａとして形成されたものであり、湾曲内壁面３３の谷部は幅狭部３２ｂの幅寸法を規定している。また、湾曲内壁面３３のうち、被掛止壁部３３ａから斜め下方へ延びて幅狭部３２ｂへと至る傾斜部分は排出ガイド壁部３３ｂとして形成されたものであり、幅狭部３２ｂから斜め下方へ延びる傾斜部分は導入ガイド壁部３３ｃとして形成されたものである。
【００２１】
操作部材３の詳しい脱着動作については後述するが、操作部材３をノーズ部材２の収納凹所２３に装着させる場合、収納凹所２３内に設けた係合突起２６が第１幅広部３２ａから係合溝３２内へ導入された後、この係合突起２６が幅狭部３２ｂを通過して第２幅広部３２ｃへ挿入されるようになっている。また、操作部材３がロック解除されて手前へ所定角度傾倒すると、係合溝３２の被掛止壁部３３ａが係合突起２６に掛止されるため、操作部材３はノーズ部材２に保持された状態（図７参照）となる。さらに、かかる保持状態の操作部材３をユーザが引き抜くように持ち上げて、係合突起２６を排出ガイド壁部３３ｂに沿って幅狭部３２ｂへ向かわせると、ノーズ部材２から操作部材３を離脱できるようになっている。
【００２２】
次に、図９〜図１４を参照しながら、取り外し状態の操作部材３をノーズ部材２の収納凹所２３に装着させる際の動作について詳しく説明する。
【００２３】
操作部材３をノーズ部材２に装着させる場合は、まず、図９と図１０に示すように、操作部材３を若干手前側へ傾けた姿勢でノーズ部材２の収納凹所２３内へ差し込み、この操作部材３の係合溝３２の第１幅広部３２ａにノーズ部材２の係合突起２６を挿入させる。その際、係合溝３２は下端側が開放されているため、ユーザが若干傾けた操作部材３を斜め上方から収納凹所２３へ差し込みさえすれば、ほぼ自動的に係合突起２６は第１幅広部３２ａ内に挿入されて導入ガイド壁部３３ｃに当接する。
【００２４】
したがって、ユーザがそのまま操作部材３を押し込むと、図１１と図１２に示すように、第１幅広部３２ａ内の係合突起２６は導入ガイド壁部３３ｃに案内されて幅狭部３２ｂへ導かれた後、幅狭部３２ｂを通過して第２幅広部３２ｃ内に挿入される（図１３と図１４参照）。そして、このように係合突起２６が幅狭部３２ｂを通過する過程で操作部材３は徐々に起立していき、その途中で底面中央部の凹溝３１にノーズ部材２の突条２５が入り込む。それゆえ、ユーザが操作部材３をさらに押し込むと、突条２５が凹溝３１内へ深く挿入されて操作部材３は起立姿勢となり、且つ、操作部材３の上端部が回転駆動体５４の係止腕５２に係止される。その結果、図１と図２に示すように、操作部材３は突条２５上に搭載された起立姿勢でロックされることになり、ノーズ部材２に対する操作部材３の装着が完了する。
【００２５】
次に、装着状態にある操作部材３をノーズ部材２から離脱させる際の動作について詳しく説明する。
【００２６】
操作部材３をノーズ部材２から取り外す場合は、まず、ユーザがロック解除釦５６をプッシュ操作すると、回転駆動体５４が図１の時計回りに回転して係止腕５２が上方へ退避するため、操作部材３はロック解除された状態となる。また、回転駆動体５４の回転に伴って押圧腕５３が操作部材３の背面上部を前方へ押圧するため、操作部材３は突条２５を支点部としてノーズ部材２の手前へ傾倒する。このようにして操作部材３が所定角度まで傾倒すると、図７と図８に示すように、係合溝３２の被掛止壁部３３ａがノーズ部材２の係合突起２６に掛止されるため、操作部材３は傾倒姿勢のままノーズ部材２に保持される。それゆえ、ロック解除して手前へ傾倒させた操作部材３がノーズ部材２の収納凹所２３から脱落する虞はない。
【００２７】
そして、図７に示す保持状態の操作部材３をユーザが把持して引き抜くように持ち上げると、係合突起２６が係合溝３２の排出ガイド壁部３３ｂに案内されて幅狭部３２ｂへ導かれるため、係合突起２６は幅狭部３２ｂを通過して第１幅広部３２ａの下方へ脱出する。それゆえ、ユーザは操作部材３をノーズ部材２から容易に抜き取ることができる。
【００２８】
以上説明したように、本実施形態例に係る電子機器においては、機器本体１のノーズ部材２に操作部材３が装着されているときに、このノーズ部材２の収納凹所２３に設けた係合突起２６を操作部材３の外側面に設けた係合溝３２の奥側の第２幅広部３２ｃに配置させておき、ロック解除によって操作部材３がノーズ部材２の手前へ所定角度傾倒すると、第２幅広部３２ｃの被掛止壁部３３ａが係合突起２６に掛止されるようにしてある。それゆえ、ロック解除した操作部材３を傾倒姿勢のまま保持しておくことができ、何ら部品を追加しない安価で簡素な構造によって、離脱動作時に懸念される操作部材３の脱落を確実に防止できる。しかも、操作部材３の脱着が繰り返されても脱落防止効果がほとんど損なわれないため、長期に亘って高信頼性が維持しやすくなっている。
【００２９】
また、本実施形態例においては、操作部材３をノーズ部材２の収納凹所２３に装着させる際に、係合溝３２の下側の第１幅広部３２ａから挿入させた係合突起２６を導入ガイド壁部３３ｃに沿って幅狭部３２ｂ、さらには奥側の第２幅広部３２ｃへとスムーズに導くことができるため、操作部材３の装着作業を円滑に行うことができる。
【００３０】
また、本実施形態例においては、操作部材３がロック解除後に傾倒して被掛止壁部３３ａを係合突起２６に掛止させている保持状態のとき、この操作部材３をユーザが引き抜くように持ち上げると、係合突起２６が被掛止壁部３３ａから排出ガイド壁部３３ｂに沿って幅狭部３２ｂへスムーズに導かれるようになっている。そのため、係合突起２６を係合溝３２の下方へ脱出させるために煩雑な作業を行う必要がなく、操作部材３をノーズ部材２から抜き取る離脱作業を円滑に行うことができる。
【００３１】
また、本実施形態例においては、操作部材３の係合溝３２が逆Ｓ字状に延びて幅狭部３２ｂの幅寸法を規定する湾曲内壁面３３を有しており、この湾曲内壁面３３に被掛止壁部３３ａや排出ガイド壁部３３ｂや導入ガイド壁部３３ｃ等が形成されている。このように係合溝３２の形状が単純であると、係合溝３２に対する係合突起２６の係脱を安定的に行わせることが容易なため、操作部材３の脱着動作に支障が生じにくい。
【００３２】
なお、上記の実施形態例では、逆Ｓ字状に延びる湾曲内壁面３３を有する係合溝３２を操作部材３の右外側面に設けているが、Ｓ字状に延びる湾曲内壁面を有する同様の係合溝を操作部材３の左外側面に設けると共に、収納凹所２３の左内側面に該係合溝に挿入される係合突起を設けることも可能である。もちろん、操作部材３の左右の外側面にそれぞれ係合溝を設け、且つ、収納凹所２３の左右の内側面にそれぞれ係合突起を設けても良い。
【００３３】
また、上記の実施形態例では、複数の操作キー７が配設されている操作部材３を機器本体１（ノーズ部材２）に対して脱着可能とした場合について説明したが、機器本体に脱着可能な操作部材が表示パネル等も含む操作パネルであっても、本発明は適用可能である。
【符号の説明】
【００３４】
１  機器本体
２  ノーズ部材
３  操作部材
５  ロック押圧手段
６  基台
７  操作キー
２３  収納凹所
２５  突条
２６  係合突起
３１  凹溝
３２  係合溝
３２ａ  第１幅広部
３２ｂ  幅狭部
３２ｃ  第２幅広部
３３  湾曲内壁面
３３ａ  被掛止壁部
３３ｂ  排出ガイド壁部
３３ｃ  導入ガイド壁部
５２  係止腕
５３  押圧腕
５６  ロック解除釦
【図１】
0005778020.tif 000002
【図２】
0005778020.tif 000003
【図３】
0005778020.tif 000004
【図４】
0005778020.tif 000005
【図５】
0005778020.tif 000006
【図６】
0005778020.tif 000007
【図７】
0005778020.tif 000008
【図８】
0005778020.tif 000009
【図９】
0005778020.tif 000010
【図１０】
0005778020.tif 000011
【図１１】
0005778020.tif 000012
【図１２】
0005778020.tif 000013
【図１３】
0005778020.tif 000014
【図１４】
0005778020.tif 000015